(57)【要約】【課題】高発根能を有する挿し穂を選抜、取得することでユーカリ属植物の効率的な挿し木苗生産を可能とする。【解決手段】植物成長調整剤で処理した母樹を作り、そこから採取した挿し穂の断面積が５．６ｍｍ２以上２３．０ｍｍ２以下であり、かつ木部の比率が０．１０以上０．４５以下である挿し穂を用いる。この両者の選抜基準を用いれば、挿し穂の発根能は極めて高くなる。【選択図】なし【特許請求の範囲】
【請求項１】
植物成長調整剤で処理した母樹より挿し穂を採取し、この挿し穂を発根させて行うユーカリ属植物の挿し木苗生産方法であって、挿し穂の断面積が５．６ｍｍ２以上２３．０ｍｍ２以下であり、かつ、木部の比率が０．１０以上０．４５以下である挿し穂を用いることを特徴とするユーカリ属植物の挿し木苗生産方法。
【請求項２】
植物成長調整剤による母樹の処理が、植物成長調整剤を土壌散布する処理である請求項１記載のユーカリ属植物の挿し木苗生産方法。
【請求項３】
挿し穂を採取する母樹として、挿し木苗、接木苗、実生苗から選ばれるいずれかを用いることを特徴とする請求項１又は２記載のユーカリ属植物の挿し木苗生産方法。
【請求項４】
ユーカリ属植物が、ユーカリ・グロブラス、ユーカリ・ナイテンス、ユーカリ・グランディス、ユーカリ・ユーロフィラ、ユーカリ・ユーログランディス、ユーカリ・シトリオドーラ又はユーカリ・カマルドレンシスである請求項１〜３のいずれかに記載のユーカリ属植物の挿し木苗生産方法。
【発明の詳細な説明】
【技術分野】
【０００１】
本発明は、パルプ材として使用されるユーカリ属植物の挿し木苗を生産する方法に関する。
【背景技術】
【０００２】
ユーカリは種子植物で、被子植物の中の双子葉植物、離弁花類に属し、その１科であるフトモモ科（果樹のフェイジョアの属など約９０属がある）の１属、ユーカリ（Ｅｕｃａｌｙｐｔｕｓ）属の植物で、常緑性の広葉樹である。このうち例えばユーカリ・グロブラス（Ｅｕｃａｌｙｐｔｕｓ  ｇｌｏｂｕｌｕｓ）は、世界で最も広範に、かつ多く造林されている樹種で、わが国の製紙業界の海外造林プロジェクトでも、チリ、オーストラリアなどで用いられている。
【０００３】
このようにユーカリはパルプ材あるいは森林資源上、最重要樹種であり、世界各国に植林されている。しかしながら、一部のユーカリ種、例えばユーカリ・グロブラスは挿し木や組織培養による効率的な増殖が困難（例えば、非特許文献１参照）であるため、実生で苗を育成し植林しているのが現状である。実生の場合、遺伝的に均一でないため、生長が不揃いになり、収穫量が減少するか、あるいは収穫量が予測できない等の問題点を抱えている。
【０００４】
これらの問題を解決する方法として、ある基準で選抜された優良な実生苗を、クローン化技術を用いて苗を生産する方法が考えられる。高成長を示す個体をクローン化して苗を作成し、そして、その苗を定植して育成できれば、収穫量の向上、製紙の低コスト化が可能になる。
【０００５】
クローン化技術としては、主に挿し木と組織培養（例えば、特許文献１参照）を応用した方法があるが、組織培養法では、苗のコスト、熟練した培養技術が必要である点から、大量生産が必須となる生産現場で実施が困難となる。
【０００６】
挿し木は、切断された挿し穂の切り口を挿し床に入れ、そこで発根させ、独立した植物体を作り出す栄養繁殖方法である。この方法は、草本から木本植物にいたるまで、母株と同一の遺伝的性質を備えたクローン苗を大量に作出する簡便な方法として普及している。従って、現実的には効率的なクローン増殖方法は挿し木に限定されるが、樹木のクローン増殖は困難なことが極めて多いのが現状である。
【０００７】
そのため、挿し木発根能は、クローン苗生産性に大きな影響を与え、その向上は重要な課題である。発根性を向上させる培養方法が種々検討され、植物ホルモンの適正化（例えば、特許文献２参照）や発根促進剤の使用（例えば、特許文献３参照）、炭酸ガス濃度や光条件の適正化（例えば、特許文献４及び５参照）、薬剤による発根前処理（例えば、特許文献６及び７参照）、発根させる枝や茎葉の基部にキズをつける、基部の切断面近傍の表皮を剥離する（例えば、特許文献８参照）等の物理的な発根前処理など、多くの方法が提案されている。
【０００８】
特許文献２〜８の方法によれば、挿し木発根率は大きく向上する。しかしながら、挿し穂からの発根性は、その挿し穂自身の発根能に大きく影響する。発根能の優れた挿し穂を材料として確保することが、挿し木からの発根性向上を図る上で必要となる。
【０００９】
発根能に優れたユーカリ属植物の挿し穂を得ることにより、効率的な挿し木生産を行う方法として、最大直径（Ｒ）に対する軸方向長さ（Ｔ）の比（Ｔ／Ｒ）が０．９以上の挿し穂を用いる方法が提案されている（例えば、特許文献９参照）。しかしながら、ユーカリ属植物挿し木発根能は、寸法因子だけで決定されるものではなく、上記検討では、穂の強度、幼若性を網羅できないという問題があった。
【００１０】
挿し木発根能を向上させる方法として、パクロブトラゾール等の植物成長調整剤を使用する方法も検討されているが（例えば、特許文献１０参照）、しかし、特許文献１０において、樹種の成長特性を把握し、植物成長調整剤の効果持続性との相関で発根率の向上を目指しているものは皆無である。植物成長調整剤の添加によって、発根率の向上は認められるものの、最も発根率が向上するポイントというのは、植物種によりまちまちであり、同一属内であっても種類が変われば、その効果の効き目も変わる。薬剤を植物に投与してから挿し木をするまでの育苗期間、植物体の成長性に着目することなく、発根率向上を検討しても、ユーカリ属植物への発根率の最大向上の最適な条件を見出すことはできないという問題がある。
【先行技術文献】
【特許文献】
【００１１】
【特許文献１】特開平９−１７２８９２号公報
【特許文献２】特開平６−１８９６４６号公報
【特許文献３】特開平６−１９９６１１号公報
【特許文献４】特開平８−２５２０３８号公報
【特許文献５】特開２０００−６０３３２号公報
【特許文献６】特開平１１−２４３７６９号公報
【特許文献７】特開２００２−１０７１０号公報
【特許文献８】特開平１１−６９９１２号公報
【特許文献９】特開２００６−６３０２号公報
【特許文献１０】特開２００１−２３１３５５号公報
【非特許文献】
【００１２】
【非特許文献１】伊藤一弥、「ユーカリ  グロブラスのクローン植林−優良木の選抜及び試験植林−」、紙パ技協誌、紙パルプ技術協会、２００６年、第６０巻、第４号、ｐ．４７６−４８５
【発明の概要】
【発明が解決しようとする課題】
【００１３】
本発明は、ユーカリ属植物において、発根能に優れた挿し穂を得ること、そして、それにより挿し木実験の発根率向上を図り、効率的な挿し木苗生産を可能とし、最良生産を可能とすることを課題としてなされたものである。
【課題を解決するための手段】
【００１４】
上記課題を解決すべく、鋭意研究の結果、植物成長調整剤により、発根能力を向上させた母樹から採取した挿し穂の断面積、全断面積に対する木部の面積の割合（以下、本発明において「木部の比率」）に着目し、これらのサイズが一定範囲内に収束する挿し穂が優れた発根能を有することを見出し、本発明を完成させた。
【００１５】
すなわち、本発明は、挿し穂の断面積が５．６ｍｍ２以上２３．０ｍｍ２以下であり、かつ、木部の比率が０．１０以上０．４５以下である挿し穂を用いることを特徴とする。
【発明の効果】
【００１６】
本発明によれば、発根能に優れたユーカリ属植物の挿し穂を容易に選抜し、かつ、植物成長調整剤による矮化処理により、母樹の発根能を向上させることで、高発根能を有する挿し木材料を多量に得ることができる。従って、挿し穂からの発根性を向上させることができ、効率的な苗生産が可能となる。
【図面の簡単な説明】
【００１７】
【図１】フロログルシン塩酸溶液で染色したユーカリ・グロブラスの挿し穂の横断面の様子である（黒線＝５００μｍ）。
【発明を実施するための形態】
【００１８】
以下、本発明について詳細に説明する。まず、採穂母樹に用いるユーカリ属植物の形態について説明する。
【００１９】
挿し穂を採取する母樹の形態としては、実生苗、接木苗、挿し木苗を用いることができる。１年生から２年生の若い母樹が好ましい。一般的に、発根能の高い挿し穂は、健全な採穂母樹より得られる。挿し穂母樹自体、適正な栄養条件、環境条件の下、栽培することが好ましい。母樹への潅水は植物が萎れない程度に行い、施肥は週１回程度行うことが好ましい。肥料として市販の液肥を用いることもできる。その濃度は１〜２ｇ／Ｌ程度を与える。温度は２０〜４０℃に保つことが好ましい。１日の最低気温が５℃を下回る日が数日続くような環境は好ましくない。
【００２０】
母樹を予め植物成長調整剤により処理する方法について説明する。粒剤あるいは複合肥料で母樹の周辺土壌を処理する方法、水和剤で挿し木採穂母樹の周辺土壌を処理する方法等がある。処理時期は、夏前の植物の新梢が伸長成長を開始する頃がより好ましいが、伸長成長を行っていれば特に限定されない。
【００２１】
植物成長調整剤の種類として、ジベレリン生合成経路の阻害剤は、大別すると、トリアゾール系（パクロブトラゾール、ウニコナゾール）、ピリミジン系（アンシミドール、フルルプリミドール）、イソニコチンアミド系（イナベンフィド）、４級アミン系（クロルメコート）とその他（ダミノジッド、プロヘキサジオン）に分けられ、本発明では、これらを使用することができる。
【００２２】
植物成長調整剤の量としては、用いる薬剤により一概に言えないが、伸長抑制に使用される使用量に準じるのが好ましく、挿し穂発根率を最大に向上させる母樹の育成法に必要な量であれば、なお好適である。例えば、パクロブトラゾールを使用した場合、培養土１Ｌあたり、１．２５ｍｇ以上６．２５ｍｇ以下であることが好ましい。
【００２３】
植物成長調整剤により処理されたユーカリ属植物の母樹は、処理後２週間頃から伸長成長が抑制されて矮化する。矮化体では、節間が短くなり葉が小さくなるなどの形態変化を示す。このように形態変化を起こした挿し穂が挿し木苗生産に好適である。よって、植物成長調整剤の土壌散布後から２週間以上１ヶ月以内で育苗することが好ましい。
【００２４】
その母樹の中で、挿し木苗に使用する挿し穂は、当年枝までの若い枝またはそこから発生した側枝で、材料となる枝を選択、採取する。採取した枝は用意している水に直ちに浸漬する。より好ましくは、植物の伸長成長が活発である夏季に採取することが望ましい。
【００２５】
採取した枝または側枝は、２枚の葉をつけた状態で、１節ごとの長さに切り分けていき、これを挿し穂とする。このとき挿し穂の長さは、１節で３ｃｍ以上が好ましい。
【００２６】
調製した挿し穂の切削基部に、インドール酪酸等のホルモン剤を塗布し、保水性、通気性に富むスポンジ状の多孔性物質（ココヤシ繊維を主成分にピートモスを主成分とする培土を加え、成型材として親水性ウレタンプレポリマーを添加し、スポンジ状に加工した成型培土）に挿し穂の最下位から１．５ｃｍの所まで挿し付け、これを挿し木苗とする。この挿し床を用いることで、挿し木作業、発根確認、鉢上げ等の労働性を改善できる。
【００２７】
挿し床としては、赤土、鹿沼土、ピートモス、バーミキュライト、パーライト等、一般的な培養土を単独で、または適宜配合したものを用いることができる。この多孔性物質は非常に乾きやすいため、ピートモス等の保水性の良い土で満たした排水口のある、高さ５．５ｃｍ、直径４．５ｃｍのトレーにこの成型培土を埋め込んで、挿し木苗とする。
【００２８】
挿し木苗は、乾き過ぎないように、１日１〜２回程度の潅水管理を行い、６週間から８週間、静置する。
【００２９】
本発明における挿し穂を選択する際の指標を得るための方法について説明する。挿し穂の茎の末端から２ｍｍ厚程度の横断切片を切り出し、ＦＡＡ溶液（ホルムアルデヒド：酢酸：５０％エタノール；５：５：９０）に固定する。切片を切り出した穂木は、上記の処理により直ちに挿し床へ置床する。
【００３０】
ＦＡＡ溶液に固定された横断切片は、１週間以内に凍結ミクロトームを用いて約８０μｍの厚さの横断薄片を調製する。顕微鏡を用いて薄片の染色像を取得する際に、木部の面積を算出しやすくするため、この薄片をフロログルシン塩酸溶液により染色することがより好ましい。撮影した染色像と画像解析できる計測ツールを用い、各茎の横断面における木部、皮層、髄の面積を各々算出する。
【００３１】
木部とは道管と木繊維が主な構成要素であり、図１の皮層Ａと髄Ｃに挟まれ、フルルグルシン塩酸染色により赤紫色に染まるＢに該当する部分を指す。総断面積に占める木部の断面積の割合を木部の比率とした。この木部の比率が茎の成熟度を表す一つの指標になり、それが挿し穂の発根能を知る上で有効な一つの指標になり得ると考えられる。
【００３２】
本発明では、発根能の優れた挿し穂の選抜基準を検討し、その結果、寸法（断面積）と木部比率で把握し、これらの要素が一定の規格値を満たす場合、その挿し穂は高発根能である可能性が高いことを見出し、本発明を完成させた。下記実施例により、本願発明をさらに詳細に説明する。
【実施例】
【００３３】
［実施例１］
ユーカリ・グロブラスの挿し木苗を、地上部高さが１００ｃｍ以上となるように生育させ、これにスマレクト（登録商標）粒剤（有効成分パクロブトラゾール０．６％；石原産業製）２５ｇを土壌散布し、１ヶ月育苗させた（培養土１Ｌに対し、６．２５ｍｇ）。これを採穂用の母樹とし、以下の実験に用いた。このときの鉢土の容量は２４Ｌであり、培養土には、焼黒土：花だん培土を１：１の比率で調製したものを用いた。
【００３４】
上記のようにして得られた母樹３苗から腋芽を計８〜１０本取り、それぞれを節ごとに切り分けた。先端の芽を含む節間を１節とした。１〜５節目は節間が短く、また、挿し穂として非常に未熟であり、すべての検討から除外した。
【００３５】
６〜１３節目までの節をそれぞれ切り分け、各節ごとに挿し木をした。挿し穂切削基部には、インドール酪酸／タルク粉末（有効成分濃度、８０００ｐｐｍ）を塗布させ、それを成型培土に挿し、ピートモス／バーミキュライト＝１：１（ｖ／ｖ）で満たしたトレー内に、この成型培土を入れて挿し木苗とした。温度２６℃、湿度８０％の温室にて静置させ、６週間後、各節の発根率を確認した。
【００３６】
なお、各挿し穂サンプルの茎の組織をＦＡＡ溶液に保存した。これら挿し穂の断面組織を電子冷却式凍結ミクロトーム（Ｋｏｍａｔｓｕ  Ｅｌｅｃｔｒｏｎｉｃｓ  Ｉｎｃ．製）で５０μｍの厚さに切削した。この後、フロログルシン塩酸染色法で木化した部位を染色した。切削サンプルを光学顕微鏡ＤＭＬＢ３０ＦＬ（Ｌｅｉｃａ社製）にて観察し、ＭＩＣＲＯＳＣＯＰＥ  ＶＨＸ−９００（キーエンス社製）を用いて、断面積、木部、髄の各面積を算出した。挿し穂の全面積に対する木部の面積の割合を木部の比率とした。表１は、全断面積と木部の比率と発根率を表したものである。なお、表１における断面積は算出した値の小数第２位を四捨五入した値、木部の比率は算出した値の小数第３位を四捨五入した値である。
【００３７】
【表１】
2012130334.tif 000002
【００３８】
表１より明らかなように、木部の比率と発根率との相関を調べることで、発根能力の高い最適な部位を絞り込むことができる。発根率が高かった挿し穂は、断面積が５．６ｍｍ２以上２３．０ｍｍ２以下の範囲内であり、かつ、木部の比率が０．１０以上０．４５以下のものであった。より好ましくは、断面積が８．２ｍｍ２以上１８．７ｍｍ２以下であり、かつ、木部の比率が０．２１以上０．４１以下のものである。
【００３９】
一方、発根が観察されにくい挿し穂は、断面積２３．１ｍｍ２以上であるか、または断面積５．５ｍｍ２以下のものであった。断面積２３．１ｍｍ２以上の挿し穂では、挿し穂基部からの吸水が充分に確保できず、枯死することが確認された。植物成長調整剤によって矮化処理した母樹において、断面積５．５ｍｍ２以下の挿し穂は、節間が狭くなり、挿し穂材料として、柔く、未熟すぎて、挿し木自体が困難となり、不適である。仮に挿したとしてもカビ等による挿し穂生存率の減少が確認された。さらに、たとえ断面積が最適値にあっても、木部の比率が０．４６以上の場合、発根しない確率が極めて高かった。
【００４０】
［比較例１］
実施例１において、植物成長調整剤によって処理された母樹の代わりに植物成長調整剤による処理をしないで育成させた母樹から採取した挿し穂を用い挿し木を行い、６週間後の発根率を表２に示した。なお、表２における断面積は算出した値の小数第２位を四捨五入した値、木部の比率は算出した値の小数第３位を四捨五入した値である。
【００４１】
【表２】
2012130334.tif 000003
【００４２】
表１及び表２に示されるように、母樹への植物成長調整剤による処理を行い、断面積が５．６ｍｍ２以上２３．０ｍｍ２以下の範囲内であり、かつ木部の比率が０．１０以上０．４５以下の範囲から採取した挿し穂では、母樹への植物成長調整剤による処理を行わず、同範囲から採取した挿し穂と比較して高い発根率を示した。
【産業上の利用可能性】
【００４３】
従来の経験的な穂木の選び方に加え、茎断面の組織形態に着目することで、より高率で発根する穂木の選定が容易になり、これまでよりも効率的な挿し木苗の生産が可能になると期待できる。
【符号の説明】
【００４４】
Ａ  皮層
Ｂ  木部
Ｃ  髄
【図１】
2012130334.tif 000004